(57)【要約】【課題】前側から見たときと後側から見たときとで編目の向きが異なる部分を有する新規な編地を編成する編地の編成方法を提供する。【解決手段】編地１００を構成する主編地部１を、第一領域Ｒ１〜第四領域Ｒ４に区分する。そして、領域Ｒ１，Ｒ２におけるウエール方向始端部１Ｓ同士、領域Ｒ１，Ｒ３における編幅方向一端部１Ｌ同士、領域Ｒ２，Ｒ３における編幅方向他端部１Ｒ同士、および領域Ｒ３，Ｒ４におけるウエール方向終端部１Ｅ同士を編成によって接合する。【選択図】図３
2016160552.tif 000002
【特許請求の範囲】
【請求項１】
前後に対向する一方の針床および他方の針床を備え、前記一方の針床と前記他方の針床の間で編目の目移しが可能な横編機を用いて、主編地部を備える編地を編成する編地の編成方法において、
針床の長さ方向における一端側と他端側をそれぞれ、ベッド一端側とベッド他端側とし、
前記主編地部を、ウエール方向始端部寄りでかつ編幅方向一端部寄りの第一領域と、ウエール方向始端部寄りでかつ編幅方向他端部寄りの第二領域と、ウエール方向終端部寄りでかつ編幅方向一端部寄りの第三領域と、ウエール方向終端部寄りでかつ編幅方向他端部寄りの第四領域と、に区分したとき、
前記第一領域における前記ウエール方向始端部と前記第二領域における前記ウエール方向始端部とをそれぞれ、前記一方の針床と前記他方の針床を用いて編成すると共に、両領域における前記ウエール方向始端部の少なくとも一部を繋げた状態とする工程αと、
前記第一領域における前記編幅方向一端部と前記第二領域における前記編幅方向他端部が前記ベッド一端側に配置された状態で、下記条件β１を満たすように前記第一領域と前記第二領域とを編成する工程βと、
前記第一領域のウエール方向に続く前記第三領域と、前記第二領域のウエール方向に続く前記第四領域と、を下記条件γ１を満たすように編成する工程γと、
前記第三領域における前記ウエール方向終端部の少なくとも一部と、前記第四領域における前記ウエール方向終端部の少なくとも一部と、を接合する工程δと、行うことで前記主編地部を編成する編地の編成方法。
条件β１…前記第一領域を構成する編目列と前記第二領域を構成する編目列を前記ベッド他端側に移動させることを所定回数行うと共に、移動された前記編目列の前記ベッド一端側の端部に繋がる第一増し目と、移動された前記編目列の前記ベッド一端側の端部に繋がる第二増し目を形成する。
条件γ１…前記第三領域を構成する編目列を前記ベッド一端側に移動させ、前記第三領域における前記編幅方向一端部を前記第一増し目に接合すること、および前記第四領域を構成する編目列を前記ベッド一端側に移動させ、前記第四領域における前記編幅方向他端部を前記第二増し目に接合する。
【請求項２】
下記四箇所の少なくとも一つを、編目を繋げないことで分離させる請求項１に記載の編地の編成方法。
前記ウエール方向始端部の少なくとも一部。
前記編幅方向一端部の少なくとも一部。
前記編幅方向他端部の少なくとも一部。
前記ウエール方向終端部の少なくとも一部。
【請求項３】
無縫製で編成された主編地部を備える編地において、
前記主編地部のうち、
ウエール方向始端部寄りでかつ編幅方向一端部寄りの第一隅部と、
ウエール方向始端部寄りでかつ編幅方向他端部寄りの第二隅部と、
ウエール方向終端部寄りでかつ編幅方向一端部寄りの第三隅部と、
ウエール方向終端部寄りでかつ編幅方向他端部寄りの第四隅部と、が前記主編地部の中央側に折り返されており、
編成によって接合される下記接合部Ｉ，ＩＩ，ＩＩＩ，ＩＶを備える編地。
前記第一隅部における前記ウエール方向始端部の少なくとも一部と、前記第二隅部における前記ウエール方向始端部の少なくとも一部と、が接合される接合部Ｉ。
前記第一隅部における前記編幅方向一端部の少なくとも一部と、前記第三隅部における前記編幅方向一端部の少なくとも一部と、が接合される接合部ＩＩ。
前記第二隅部における前記編幅方向他端部の少なくとも一部と、前記第四隅部における前記編幅方向他端部の少なくとも一部と、が接合される接合部ＩＩＩ。
前記第三隅部における前記ウエール方向終端部の少なくとも一部と、前記第四隅部における前記ウエール方向終端部の少なくとも一部と、が接合される接合部ＩＶ。
【発明の詳細な説明】
【技術分野】
【０００１】
本発明は、前側から見たときと後側から見たときとで編目の向きが異なる部分を有する編地、およびその編地の編成方法に関する。
【背景技術】
【０００２】
近年の消費者のニーズの多様化に伴い、今までにない新規な編目組織を有する編地を開発することが望まれている。例えば特許文献１には、前側から見たときと後側から見たときとで編目の向きが異なる部分を有する編地を横編機で編成する技術が開示されている。
【先行技術文献】
【特許文献】
【０００３】
【特許文献１】特開２０１４−１１４５１３号公報
【発明の概要】
【発明が解決しようとする課題】
【０００４】
横編機を用いた編地の編成は、基本となる編成動作の組み合わせで成り立っており、この編成動作の組み合わせはほぼ無限であるといって良く、まだまだ新規な編地の開発の余地がある。例えば、前側から見たときと後側から見たときとで編目の向きが異なる部分を有する編地であって、特許文献１とは異なる編地を編成することができれば、より一層、多様な消費者のニーズに応えることができる。
【０００５】
本発明は上記事情に鑑みてなされたもので、その主目的は、前側から見たときと後側から見たときとで編目の向きが異なる部分を有する新規な編地を編成する編地の編成方法、およびその編地の編成方法によって得られた編地を提供することにある。
【課題を解決するための手段】
【０００６】
本発明の編地の編成方法は、前後に対向する一方の針床および他方の針床を備え、前記一方の針床と前記他方の針床の間で編目の目移しが可能な横編機を用いて、主編地部を備える編地を編成する編地の編成方法である。この編地の編成方法では、下記前提の下、工程α〜工程δを行うことで前記主編地部を編成する。
［前提Ｘ］…針床の長さ方向における一端側と他端側をそれぞれ、ベッド一端側とベッド他端側とする。
［前提Ｙ］…前記主編地部を、第一領域〜第四領域に区分する。
・第一領域は、前記主編地部のウエール方向始端部寄りでかつ編幅方向一端部寄りの領域。
・第二領域は、前記主編地部のウエール方向始端部寄りでかつ編幅方向他端部寄りの領域。
・第三領域は、前記主編地部のウエール方向終端部寄りでかつ編幅方向一端部寄りの領域。
・第四領域は、前記主編地部のウエール方向終端部寄りでかつ編幅方向他端部寄りの領域。
【０００７】
［工程α］…前記第一領域における前記ウエール方向始端部と前記第二領域における前記ウエール方向始端部とをそれぞれ、前記一方の針床と前記他方の針床を用いて編成すると共に、両領域における前記ウエール方向始端部の少なくとも一部を繋げた状態とする工程。
［工程β］…前記第一領域における前記編幅方向一端部と前記第二領域における前記編幅方向他端部が前記ベッド一端側に配置された状態で、下記条件β１を満たすように前記第一領域と前記第二領域とを編成する工程。
条件β１…前記第一領域を構成する編目列と前記第二領域を構成する編目列を前記ベッド他端側に移動させることを所定回数行うと共に、移動された前記編目列の前記ベッド一端側の端部に繋がる第一増し目と、移動された前記編目列の前記ベッド一端側の端部に繋がる第二増し目を形成する。
［工程γ］…前記第一領域のウエール方向に続く前記第三領域と、前記第二領域のウエール方向に続く前記第四領域と、を下記条件γ１を満たすように編成する工程。
条件γ１…第三領域を構成する編目列を前記ベッド一端側に移動させ、第三領域における前記編幅方向一端部を前記第一増し目に接合すること、および前記第四領域を構成する編目列を前記ベッド一端側に移動させ、前記第四領域における前記編幅方向他端部を前記第二増し目に接合する。
［工程δ］…前記第三領域における前記ウエール方向終端部の少なくとも一部と、前記第四領域における前記ウエール方向終端部の少なくとも一部と、を接合する工程。
【０００８】
ここで、実施形態３に示すように、第一領域における編幅方向一端部に追加編地部を編成する場合、その追加編地部のウエール方向終端部の編目を第一増し目と見做す。同様に、第二領域における編幅方向他端部に追加編地部を編成する場合、その追加編地部のウエール方向終端部の編目を第二増し目と見做す。
【０００９】
本発明の編地の編成方法の一形態として、下記四箇所の少なくとも一つを、編目を繋げないことで分離させる形態を挙げることができる。
・前記ウエール方向始端部の少なくとも一部。
・前記編幅方向一端部の少なくとも一部。
・前記編幅方向他端部の少なくとも一部。
・前記ウエール方向終端部の少なくとも一部。
【００１０】
本発明の編地は、無縫製で編成された主編地部を備える編地である。この本発明の編地では、編地に備わる前記主編地部のうち、ウエール方向始端部寄りでかつ編幅方向一端部寄りの第一隅部と、ウエール方向始端部寄りでかつ編幅方向他端部寄りの第二隅部と、ウエール方向終端部寄りでかつ編幅方向一端部寄りの第三隅部と、ウエール方向終端部寄りでかつ編幅方向他端部寄りの第四隅部と、が前記主編地部の中央側に折り返されている。また、本発明の編地は、編成によって接合される下記接合部Ｉ，ＩＩ，ＩＩＩ，ＩＶを備える。
［接合部Ｉ］…前記第一隅部における前記ウエール方向始端部の少なくとも一部と、前記第二隅部における前記ウエール方向始端部の少なくとも一部と、が接合される接合部。
［接合部ＩＩ］…前記第一隅部における前記編幅方向一端部の少なくとも一部と、前記第三隅部における前記編幅方向一端部の少なくとも一部と、が接合される接合部。ここで、前記第一隅部と前記第三隅部とは、後述する実施形態１，２に示すように直接接合されていても良いし、後述する実施形態３に示すように追加編地部を介して間接的に接合されていても良い。
［接合部ＩＩＩ］…前記第二隅部における前記編幅方向他端部の少なくとも一部と、前記第四隅部における前記編幅方向他端部の少なくとも一部と、が接合される接合部。ここで、前記第二隅部と前記第四隅部とは、後述する実施形態１，２に示すように直接接合されていても良いし、後述する実施形態３に示すように追加編地部を介して間接的に接合されていても良い。
［接合部ＩＶ］…前記第三隅部における前記ウエール方向終端部の少なくとも一部と、前記第四隅部における前記ウエール方向終端部の少なくとも一部と、が接合される接合部。
【発明の効果】
【００１１】
本発明の編地の編成方法によれば、本発明の編地を編成することができる。本発明の編地では、主編地部の四つの隅部が主編地部の中央側に折り返されて接合されることで、主編地部が二層構造となる。このような主編地部では、実施形態１の図１や実施形態２の図５に示すように、四つの隅部Ｃ１〜Ｃ４が折り返されて接合される側では四つの隅部Ｃ１〜Ｃ４の編目の向きが異なり、その反対側では編目の向きが一方向に揃った状態になる。このような編目組織を備える編地は今までにない新規なものである。
【００１２】
四つの隅部の少なくとも一部を分離させる本発明の編地の編成方法によれば、主編地部の一部に孔が空いた編地を編成することができる。例えば、後述する実施形態２に示すボレロ風のプルオーバーなどを編成することができる。
【図面の簡単な説明】
【００１３】
【図１】（Ａ）は実施形態１に示す編地の一面側、（Ｂ）はその編地の他面側を示す概略平面図である。
【図２】実施形態１に示す編地の平面展開図である。
【図３】実施形態１に示す編地の編成イメージ図である。
【図４】実施形態１に示す編地の編成手順の一例を示す編成工程図である。
【図５】実施形態２に示す編地（プルオーバー）の正面図である。
【図６】実施形態２に示す編地の平面展開図である。
【図７】実施形態３に示す編地の編成イメージ図である。
【発明を実施するための形態】
【００１４】
＜実施形態１＞
実施形態１では、概略矩形状の編地１００とその編成方法を図１〜図４に基づいて説明する。
【００１５】
図１に示す編地１００は、無縫製で編成される主編地部１によって構成されている。この図１では、編目の向きを白抜き矢印で示している。この点は、図２の平面展開図でも同じである。
【００１６】
図１の編地１００の説明に当たり、まず図２の平面展開図を参照し、編地１００の主編地部１の構造を説明する。図２では、編成の要所となる位置に小文字アルファベットを付しており、その小文字アルファベットは図１に対応している。白抜き矢印で示される編目の向きが紙面上側を向く主編地部１は、紙面下側から編成され、紙面上側で編成を終了する。つまり、ラインａ−ｂ−ｃが主編地部１のウエール方向始端部１Ｓであり、ラインｇ−ｈ−ｉがウエール方向終端部１Ｅである。また、ラインａ−ｄ−ｇが編幅方向一端部１Ｌであり、ラインｃ−ｆ−ｉが編幅方向他端部１Ｒである。
【００１７】
図２の主編地部１は、後述するように下記四つの領域に区分して編成される。
・第一領域Ｒ１…主編地部１のウエール方向始端部１Ｓ寄りでかつ編幅方向一端部１Ｌ寄りの領域ａ−ｂ−ｅ−ｄ−ａ。
・第二領域Ｒ２…主編地部１のウエール方向始端部１Ｓ寄りでかつ編幅方向他端部１Ｒ寄りの領域ｂ−ｃ−ｆ−ｅ−ｂ。
・第三領域Ｒ３…主編地部１のウエール方向終端部１Ｅ寄りでかつ編幅方向一端部１Ｌ寄りの領域ｄ−ｅ−ｈ−ｇ−ｄ。
・第四領域Ｒ４…主編地部１のウエール方向終端部１Ｅ寄りでかつ編幅方向他端部１Ｒ寄りの領域ｅ−ｆ−ｉ−ｈ−ｅ。
【００１８】
主編地部１を上記四つの領域Ｒ１〜Ｒ４に区分して編成することで、各領域Ｒ１〜Ｒ４のうちの一部である下記隅部Ｃ１〜Ｃ４を紙面裏側における主編地部１の中央側に折り返される（太矢印参照）。
・第一隅部Ｃ１…領域ａ−ｂ−ｄ−ａ
・第二隅部Ｃ２…領域ｂ−ｃ−ｆ−ｂ
・第三隅部Ｃ３…領域ｄ−ｈ−ｇ−ｄ
・第四隅部Ｃ４…領域ｆ−ｉ−ｈ−ｆ
【００１９】
図２の隅部Ｃ１〜Ｃ４を紙面裏側に折り返すことで、隅部Ｃ１〜Ｃ４を除く部分（領域ｂ−ｆ−ｈ−ｄ−ｂ）で構成される編地１００の一面側では、図１（Ａ）に示すように、編目の向きが一方向（紙面上向き）に揃った状態となる。一方、図２の紙面裏側に折り返された隅部Ｃ１〜Ｃ４によって構成される編地１００の他面側では、図１（Ｂ）に示すように、各隅部Ｃ１〜Ｃ４の編目の向きが異なる方向を向いた状態になる。
【００２０】
図１（Ｂ）に示す編地１００の他面側ではさらに、以下の接続部Ｉ〜ＩＶが形成されている。そのため、図１に示す編地１００は、内部に空間が形成された二層構造の編地１００となっている。
・接合部Ｉ…第一隅部Ｃ１におけるウエール方向始端部１Ｓと、第二隅部Ｃ２におけるウエール方向始端部１Ｓと、が接合される接合部。
・接合部ＩＩ…第一隅部Ｃ１における編幅方向一端部１Ｌと、第三隅部Ｃ３における編幅方向一端部１Ｌと、が接合される接合部。
・接合部ＩＩＩ…第二隅部Ｃ２における編幅方向他端部１Ｒと、第四隅部Ｃ４における編幅方向他端部１Ｒと、が接合される接合部。
・接合部ＩＶ…第三隅部Ｃ３におけるウエール方向終端部１Ｅと、第四隅部Ｃ４におけるウエール方向終端部１Ｅと、が接合される接合部。
【００２１】
以上説明した編地１００は、一面側から見た編目の状態と、他面側から見た編目の状態が全く異なる新規な編地１００である。この編地１００は、リバーシブルの敷物（コースターやランチョンマットなど）として好適に利用することができる。また、編地１００の中に綿などを充填すれば、リバーシブルのクッションとして利用することもできる。
【００２２】
次に、図１に示す編地１００の編成手順を、編成イメージ図である図３に基づいて説明する。図３では、左右方向に伸び、かつ前後方向に対向する前針床ＦＢ（一方の針床）と後針床ＢＢ（他方の針床）を備える２枚ベッド横編機を用いた編成例を説明する。図３では、針床ＦＢ，ＢＢの長さ方向における一端側と他端側をそれぞれ、ベッド一端側Ｂ１とベッド他端側Ｂ２とし、矢印でその方向を示す。
【００２３】
編地１００を編成するには、まず第一領域Ｒ１におけるウエール方向始端部１Ｓと第二領域Ｒ２におけるウエール方向始端部１Ｓとをそれぞれ、前針床ＦＢと後針床ＢＢを用いて編成すると共に、両領域Ｒ１，Ｒ２におけるウエール方向始端部１Ｓ（ラインａ−ｂとラインｃ−ｂ）を繋げた状態とする（工程α）。
【００２４】
次いで、第一領域Ｒ１における編幅方向一端部１Ｌと第二領域Ｒ２における編幅方向他端部１Ｒがベッド一端側Ｂ１（紙面左側）に配置された状態で、前針床ＦＢで第一領域Ｒ１を編成すると共に、後針床ＢＢでと第二領域Ｒ２を編成する（工程β）。その際、第一領域Ｒ１を構成する編目列と第二領域Ｒ２を構成する編目列を徐々にベッド他端側Ｂ２（紙面右側）に移動させる。その移動に伴い、第一領域Ｒ１における編幅方向一端部１Ｌの位置（ラインａ−ｄ）に、第一領域Ｒ１の編目列におけるベッド一端側Ｂ１の端部に繋がる第一増し目１１ｓ（Ｖ印参照）を編成する。同様に、第二領域Ｒ２における編幅方向他端部１Ｒの位置（ラインｃ−ｆ）に、第二領域Ｒ２の編目列におけるベッド一端側Ｂ１の端部に繋がる第二増し目２２ｓ（Ｖ印参照）を編成する。
【００２５】
次いで、前針床ＦＢで第一領域Ｒ１のウエール方向に続く第三領域Ｒ３を編成すると共に、後針床ＢＢで第二領域Ｒ２のウエール方向に続く第四領域Ｒ４を編成する（工程γ）。その際、第三領域Ｒ３を構成する編目列をベッド一端側Ｂ１に移動させ、第三領域Ｒ３における編幅方向一端部１Ｌを第一増し目１１ｓに接合する。同様に、第四領域Ｒ４を構成する編目列をベッド一端側Ｂ１に移動させ、第四領域Ｒ４における編幅方向他端部１Ｒを第二増し目２２ｓに接合する。即ち、第一領域Ｒ１のラインｄ−ａと、第三領域Ｒ３のラインｄ−ｇと、を接合すると共に、第二領域Ｒ２のラインｆ−ｃと、第四領域Ｒ４のラインｆ−ｉと、を接合する。
【００２６】
最後に、第三領域Ｒ３におけるウエール方向終端部１Ｅ（ラインｇ−ｈ）と、第四領域Ｒ４におけるウエール方向終端部１Ｅ（ラインｉ−ｈ）と、を接合する（工程δ）。
【００２７】
次に、具体的な編地１００の編成工程を図４の編成工程図に基づいて説明する。図４の左欄のＳ＋数字は編成工程の番号を示し、右欄には各編成工程における実際の編成状態が示されている。図中の大文字アルファベットは、編針の編幅方向の位置を示しており、丸印は編目、Ｖ字印は掛け目を示す。図中の小文字アルファベットは、図３のそれに対応している。ここで、図４は、２枚ベッド横編機を用いた編成工程図であるが、ＦＢとＢＢに加え、ＦＢとＢＢの上方に設けられる上部前針床と上部後針床を備える４枚ベッド横編機を用いて編地１００を編成することもできる。その場合、編地１００を総針状態で編成することができる。
【００２８】
Ｓ０には、給糸口７を紙面左方向に移動させ、ＦＢの編針Ａ，Ｃ，Ｅ，Ｇ，Ｉ，Ｋと、ＢＢの編針Ｂ，Ｄ，Ｆ，Ｈ，Ｊ，Ｌと、に編目を形成した状態が示されている。ＦＢに形成された編目列は、第一領域Ｒ１におけるウエール方向始端部１Ｓに相当し、ＢＢに形成された編目列は、第二領域Ｒ２におけるウエール方向始端部１Ｓに相当する。本例では、第一領域Ｒ１におけるウエール方向始端部１Ｓと、第二領域Ｒ２におけるウエール方向始端部１Ｓと、が全て繋がった状態となっている。
【００２９】
Ｓ１では、給糸口７をＣ字状に移動させ、ＦＢの編針Ａ，Ｃ，Ｅ，Ｇ，Ｉ，Ｋに第一領域Ｒ１を構成する編目列１１を編成すると共に、ＢＢの編針Ｌ，Ｊ，Ｈ，Ｆ，Ｄ，Ｂに第二領域Ｒ２を構成する編目列２２を編成する。
【００３０】
Ｓ２では、ＦＢに係止される編目列１１をベッド他端側Ｂ２（紙面右側）に向って二針分移動させると共に、ＢＢに係止される編目列２２をベッド他端側Ｂ２に向って二針分移動させる。
【００３１】
Ｓ３では、給糸口７をＣ字状に移動させ、ＢＢの編針Ｂに掛け目（第二増し目２２ｓ）を、ＢＢの編針Ｄ，Ｆ，Ｈ，Ｊ，Ｌ，Ｎに編目列２２を、ＦＢの編針Ｍ,Ｋ，Ｉ，Ｇ，Ｅ，Ｃに編目列１１を、ＦＢの編針Ａに掛け目（第二増し目１１ｓ）を編成する。第一増し目１１ｓは、Ｓ２で移動された編目列１１のベッド一端側Ｂ１（紙面左側）の端部に繋がり、第二増し目２２ｓは、Ｓ２で移動された編目列２２のベッド一端側Ｂ１の端部に繋がる。
【００３２】
上記Ｓ２，Ｓ３を所定回数繰り返し、第一領域Ｒ１および第二領域Ｒ２の編成を終了する。
【００３３】
Ｓ４では、給糸口７をＣ字状に移動させ、ＦＢの編針Ｋに第一増し目１１ｓを、ＦＢの編針Ｍ，Ｏ，Ｑ，Ｓ，Ｕ，Ｗに第三領域Ｒ３の編目列３３を、ＢＢの編針Ｘ，Ｖ，Ｔ，Ｒ，Ｐ，Ｎに第四領域Ｒ４の編目列４４を、ＢＢの編針Ｌに第二増し目２２ｓを編成する。このとき、ＦＢの編針Ａ，Ｃ，Ｅ，Ｇ，Ｉ，Ｋには第一増し目１１ｓが、ＢＢの編針Ｂ，Ｄ，Ｆ，Ｈ，Ｊ，Ｌには第二増し目２２ｓが係止された状態となる。
【００３４】
Ｓ５では、ＦＢに係止される第三領域Ｒ３の編目列３３をベッド一端側Ｂ１に向って二針分移動させると共に、ＢＢに係止される第四領域Ｒ４の編目列４４をベッド一端側Ｂ１に向って二針分移動させる。このとき、ＦＢの編針Ｋで、第一増し目１１ｓと編目列３３のベッド一端側Ｂ１の端部編目とが重ねられ、ＢＢの編針Ｌで、第二増し目２２ｓと編目列４４のベッド一端側Ｂ１の端部編目とが重ねられる。
【００３５】
Ｓ６では、給糸口７をＣ字状に移動させ、ＢＢの編針Ｌ，Ｎ，Ｐ，Ｒ，Ｔ，Ｖに編目列４４を、ＦＢの編針Ｕ，Ｓ，Ｑ，Ｏ，Ｍ，Ｋに編目列３３を編成する。この編成によって、ＦＢの編針Ｋで第三領域Ｒ３における編幅方向一端部１Ｌと第一増し目１１ｓとが接合され、ＢＢの編針Ｌで第四領域における編幅方向他端部１Ｒと第二増し目２２ｓとが接合される。
【００３６】
上記Ｓ５，Ｓ６を、増し目１１ｓ，２２ｓが無くなるまで繰り返した後の状態をＳ７に示す。このＳ７では、ＦＢの編針Ａ，Ｃ，Ｅ，Ｇ，Ｉ，Ｋに第三領域Ｒ３におけるウエール方向終端部１Ｅの編目が係止され、ＢＢの編針Ｂ，Ｄ，Ｆ，Ｈ，Ｊ，Ｌに第四領域Ｒ４におけるウエール方向終端部１Ｅの編目が係止された状態が示されている。
【００３７】
Ｓ７の後は、ＦＢに係止される編目とＢＢに係止される編目とを伏目処理などで接合することで、図１に示す主編地部１を備える編地１００が得られる。
【００３８】
図３の編成イメージ図、および図４の編成工程図に示す手順に従って編成を行うことで、図１に示す編地１００を編成することができる。
【００３９】
実施形態１の変形例として、下記部分の少なくとも一部を接合しないことで、図１（Ｂ）に示す面に開口部を形成することもできる。各部分の開口部の数は複数であっても構わない。
・図２，３のラインａ−ｂとラインｃ−ｂの一部（ウエール方向始端部１Ｓの一部）。この部分に開口部を形成するには、図４のＳ０（工程α）で、第一領域Ｒ１におけるウエール方向始端部１Ｓの一部と、第二領域Ｒ２におけるウエール方向始端部１Ｓの一部と、を接合しないようにする。
・図２，３のラインａ−ｄとラインｇ−ｄの一部（編幅方向一端部１Ｌの一部）。この部分に開口部を形成するには、図４のＳ１〜Ｓ３を繰り返す際（工程β）、第一領域Ｒ１を構成する複数の編目列１１のうちの一部の編目列１１に対応する第一増し目１１ｓを形成しないようにする。
・図２，３のラインｃ−ｆとラインｉ−ｆの一部（編幅方向他端部１Ｒの一部）。この部分に開口部を形成するには、図４のＳ１〜Ｓ３を繰り返す際（工程β）、第二領域Ｒ２を構成する複数の編目列２２のうちの一部の編目列２２に対応する第二増し目２２ｓを形成しないようにする。
・図２，３のラインｇ−ｈとラインｉ−ｈの一部（ウエール方向終端部１Ｅの一部）。この部分に開口部を形成するには、図４のＳ７の後の工程δにおいて、第三領域Ｒ３におけるウエール方向終端部１Ｅの一部と、第四領域Ｒ４におけるウエール方向終端部１Ｅの一部と、を接合しないようにする。
【００４０】
＜実施形態２＞
実施形態２では、本発明の編地の編成方法を適用して編成されたボレロ風のプルオーバー（編地１０１）を図５，６に基づいて説明する。図５は、プルオーバー１０１の概略正面図であり、図６は、プルオーバー１０１の平面展開図である。図５，６においては、プルオーバー１０１の編成の要所となる部分に小文字アルファベットを付しており、編目の方向を白抜き矢印で示している。
【００４１】
図５のプルオーバー１０１は、前身頃１Ｆと後身頃１Ｂとを備える筒状着衣であって、裾孔ｈ１、ネックホールｈ２、および一対のアームホールｈ３，ｈ４を備える。このプルオーバー１０１は、実施形態１の編地１００と同様に、主編地部１の四隅を主編地部１の中央側に折り返して接合することで形成されている。本例の場合、折り返された第一隅部Ｃ１、第二隅部Ｃ２、第三隅部Ｃ３、および第四隅部Ｃ４によって前身頃１Ｆが形成されている。
【００４２】
図５に示すプルオーバー１０１も、実施形態１の編地１００と同様に、主編地部１を四つの領域に区分して編成する。具体的には、図６の平面展開図に示すような形状の主編地部１を編成する。その主編地部１のうち、領域ａ−ｂ−ｅ−ｏ−ｈ−ｇ−ａを第一領域Ｒ１、領域ｃ−ｄ−ｉ−ｈ−ｏ−ｆ−ｃを第二領域Ｒ２、領域ｇ−ｈ−ｑ−ｐ−ｋ−ｊ−ｇを第三領域Ｒ３、領域ｈ−ｉ−ｍ−ｌ−ｒ−ｑ−ｈを第四領域Ｒ４とする。そして、図３の編成イメージ図と同様に、図６の各領域Ｒ１〜Ｒ４を編成する。但し、図６の主編地部１の編成では、ハッチングで示す部分のみを接合する。
【００４３】
主編地部１を領域Ｒ１〜Ｒ４に分けたら、第一領域Ｒ１のラインａ−ｂを前針床ＦＢで編出すと共に、第二領域Ｒ２のラインｄ−ｃを後針床ＢＢで編み出す。その際、ラインａ−ｂとラインｄ−ｃとが接合された状態とする。
【００４４】
次いで、前針床ＦＢで第一領域Ｒ１を編成すると共に、後針床ＢＢで第二領域Ｒ２を編成する。点ｅ（点ｆ）の高さまでは、第一領域Ｒ１と第二領域Ｒ２は別々の給糸口を用いて編成する。その後、第一領域Ｒ１と第二領域Ｒ２とがラインｏ−ｈで繋がるように編成を行う。ラインｅ−ｏ−ｆは、公知の編出し方法で形成することができる。
【００４５】
上記領域Ｒ１，Ｒ２の編成においては、第一領域Ｒ１のラインａ−ｓの位置に第一増し目を形成すると共に、第二領域Ｒ２のラインｄ−ｔの位置に第二増し目を形成する。点ｓ（点ｔ）よりも上方では、第一増し目と第二増し目を形成することなく、第一領域Ｒ１と第二領域Ｒ２とをＣ字状に編成する。
【００４６】
次いで、前針床ＦＢで第三領域Ｒ３を編成すると共に、後針床ＢＢで第四領域Ｒ４を編成する。点qの高さまでは、第三領域Ｒ３と第四領域Ｒ４とがラインｈ−ｑで繋がるようにＣ字状に編成する。その際、第三領域Ｒ３のラインｇ−ｕは第一領域Ｒ１に接合せず、第四領域Ｒ４のラインｉ−ｖは第二領域Ｒ２に接合しない。また、ラインｐ−ｑ−ｒよりも上の部分では、各領域Ｒ３，Ｒ４を別々の給糸口を用いて編成する。ラインｋ−ｐ−ｑ−ｒ−ｌでは、第三領域Ｒ３と第四領域Ｒ４とを接合しない。
【００４７】
上記領域Ｒ３，Ｒ４の編成においては、第三領域Ｒ３のラインｕ−ｊを第一領域Ｒ１のラインｓ−ａに繋げると共に、第四領域Ｒ４のラインｖ−ｍを第二領域Ｒ２のラインｔ−ｄに繋げる。
【００４８】
最後に、第三領域Ｒ３のラインｊ−ｋと、第四領域Ｒ４のラインｍ−ｌと、を伏目処理などで接合することで、図５に示すプルオーバー１０１を完成させることができる。上記編成に従えば、図６のラインｂ−ｅ−ｏ−ｆ−ｃによって図５の裾孔ｈ１が形成され、図６のラインｔ−ｉ−ｖ（ｓ−ｇ−ｕ）によって図５のアームホールｈ３（ｈ４）が形成される。また、図６のラインｋ−ｐ−ｑ−ｒ−ｌによって、図５のネックホールｈ２が形成される。
【００４９】
＜実施形態３＞
実施形態１の編地１００を編成する際、図３に示す第一領域Ｒ１のラインａ−ｄに略三角形状の追加編地部を編成しても良い（第二領域Ｒ２のラインｃ−ｆにも追加編地部を編成しても構わない）。追加編地部２を編成する例を図７に基づいて説明する。図７の見方は、実施形態１の図３と同じである。但し、説明の便宜上、図７では第一領域Ｒ１と第三領域Ｒ３のみを図示する。
【００５０】
追加編地部２を編成する場合、第一領域Ｒ１の編成が終了した後に、ラインａ−ｄのウエール方向に続く追加編地部２（領域ａ−ｄ−ｚ−ａ）を編成する。追加編地部２は引き返し編成によって編成することができる。引き返し端となるラインａ−ｚを他の部分に接合しないことで、ラインａ−ｚの部分を開口部とすることができる。この追加編地部２のウエール方向端部（ラインｄ−ｚ）の編目は、第一領域Ｒ１の第一増し目１１ｓのウエール方向に連続する編目であるので、第一領域Ｒ１の編幅方向一端部１Ｌに繋がる第一増し目１１ｓである。
【００５１】
次いで、第三領域Ｒ３を編成する際、第三領域Ｒ３のラインｄ−ｇを、追加編地部２のラインｄ−ｚに接合する。そして、第三領域Ｒ３におけるウエール方向終端部１Ｅを、図示しない第四領域におけるウエール方向終端部に接合する。
【００５２】
上記追加編地部２を編成することで、図１（Ｂ）の側が立体的に膨らんだ編地１００を作製することができる。ここで、図７の二点鎖線で示すように、第一領域Ｒ１と第三領域Ｒ３の編幅方向一端部１Ｌの部分、および図示しない第二領域と第四領域の編幅方向他端側の部分（図３における点ｃ、点ｉの部分）を大きくすることで、編地１００をより立体的にすることもできる。
【００５３】
＜その他＞
実施形態１〜３の編成を応用すれば、多種多様な編地を編成することができる。例えば、図１（Ｂ）の編地１００の中心（点ａ，ｃ，ｇ，ｉ）側で各隅部Ｃ１〜Ｃ４を接合しないことで、当該中心部分に十字状の開口部を形成すると共に、把手となる編地部を形成すれば、手提げ鞄状の編地とすることができる。また、図１（Ｂ）の中心部分を接合せずに開口させ、図１（Ａ）の中心部分に筒状の編地部を形成すれば、帽子状の編地とすることができる。
【符号の説明】
【００５４】
１００，１０１  編地
１  主編地部
２  追加編地部
１Ｆ  前身頃  １Ｂ  後身頃
ｈ１  裾孔  ｈ２  ネックホール  ｈ３，ｈ４  アームホール
Ｒ１  第一領域  Ｒ２  第二領域  Ｒ３  第三領域  Ｒ４  第四領域
Ｃ１  第一隅部  Ｃ２  第二隅部  Ｃ３  第三隅部  Ｃ４  第四隅部
１Ｓ  ウエール方向始端部  １Ｅ  ウエール方向終端部
１Ｌ  編幅方向一端部  １Ｒ  編幅方向他端部
１１，２２，３３，４４  編目列
１１ｓ  第一増し目  ２２ｓ  第二増し目
７  給糸口
【図１】
2016160552.tif 000003
【図２】
2016160552.tif 000004
【図３】
2016160552.tif 000005
【図４】
2016160552.tif 000006
【図５】
2016160552.tif 000007
【図６】
2016160552.tif 000008
【図７】
2016160552.tif 000009